(57)【特許請求の範囲】
【請求項１】
正面板と底面板と背面板と両側面板とで収納箱本体が形成され、前記背面板の上縁には蓋板が連設されている、シート状物が円筒状のコアに巻かれてロール状とされた物品を収納するためのロール状物品収納箱において、前記正面板の上縁に第１折線を介して連設され正面板の内面に接着される正面補強内面折込板と、正面板の両側縁に第２折線を介して連設された側面板との間に、収納箱本体内に延びるロール保持板が連設されており、側面板とロール保持板の間には、前記第１折線の延長線上に第３折線が設けられていることを特徴とするロール状物品収納箱。
【請求項２】
前記正面補強内面折込板とロール保持板の連設部に、前記第１折線と第３折線の接点から延びる少なくとも１本の第４折線からなるストレス吸収部が設けられていることを特徴とする請求項１に記載のロール状物品収納箱。
【請求項３】
前記正面補強内面折込板とロール保持板の連設部に、穴または切り込みからなるストレス吸収部が設けられていることを特徴とする請求項１または２に記載のロール状物品収納箱。
【請求項４】
前記正面補強内面折込板とロール保持板の連設部に、前記第２折線と第３折線の接点又はその近傍から、第３折線に対し２０度〜５０度の範囲で傾斜して延びる第５折線と、前記第１折線と第２折線の接点又はその近傍から、第１折線に対し４０度〜８０度の範囲で傾斜して延びる第６折線とからなり、組立時における前記ロール保持板と、該ロール保持板と前記第３折線を介して連設された前記側面板とでなす角度が概ね９０度となるようにしたストレス吸収部が設けられていることを特徴とする請求項１に記載のロール状物品収納箱。
【請求項５】
前記第５折線上には、前記第２折線と第３折線の接点又はその近傍から、切り込みが設けられていることを特徴とする請求項４に記載のロール状物品収納箱。
【請求項６】
前記第１折線と第６折線上には、第１折線と第６折線上に跨って、前記第１折線と第２折線の接点又はその近傍から、それぞれに切り込みが設けられていることを特徴とする請求項４または５に記載のロール状物品収納箱。
【発明の詳細な説明】
【技術分野】
【０００１】
本発明は、シート状物が円筒状のコアに巻かれたロール状物品を収納するロール状物品収納箱に関する。
【背景技術】
【０００２】
シート状物が円筒状のコアに巻かれたロール状物品を収納する、ロール状物品収納箱としては、例えば、従来から種々の型式のラップフィルム収納箱が知られているが、その多くはロール状物品を収納する収納箱本体と、この収納箱本体に一体的に設けられた蓋体とから構成されている。このような型式のロール状物品収納箱の使用にあっては、蓋体を持ち上げた後、円筒状のコアに巻かれたシート状物を収納箱本体から所望の長さに引き出し、そのシート状物を収納箱本体の底面或いは蓋体の正面壁に取り付けられたノコ刃等で切断するのが一般的である。
【０００３】
近年、コスト削減の観点から、上記した型式のロール状物品収納箱のコンパクト化が志向され、それにともないシート状物を巻き付ける円筒状コアも小径、薄肉となり、このため、ロール状物品自体も軽量化の傾向にある。このように軽量化されたロール状物品を、上記型式のロール状物品収納箱に収納して使用した場合には、使用の初期においては問題なくても、使用が進みコア近くなると、蓋体を持ち上げて円筒状のコアに巻かれたシート状物を引き出した時、ロール状物品が浮き上がり収納箱本体から飛び出し易くなるという問題が生じる。また、ロール状物品がラップフィルムロールである場合には、やはりコスト削減の観点から、ラップフィルム自体の薄肉化も志向され、更に、環境意識に目覚めた使用者が塩素を含まない、比重の軽いポリオレフィン（ポリエチレン、ポリプロピレンなど）素材のラップフィルムを多用するようになってきたため、ラップフィルム自体の粘着度、剥離度等の性質とも相俟って、上記問題は一層生じ易くなる。ロール状物品の軽量化に伴うこのような問題は、所望の長さのシート状物を切り取ることができないばかりか、ロール状物品がラップフィルムロールである場合には、ラップフィルムロールを床に脱落させる原因となるので、衛生上も好ましくない。
【０００４】
そこで、収納箱本体の側面に押込み部分を設け、また、この側面と貼り合わされる糊代部分で押込み部を保持させて、使用時、ロール状物品が収納箱から飛び出さないように構造を工夫したりしている。しかしながら、使用者がこうした機能を利用するにはロール状物品収納箱に対して、収納箱本体の側面に設けてある押込み部分を収納箱本体内方に押し込むといった作業を行う必要があるため、機能の利用にバラツキがあり効果の期待が薄かった。
【０００５】
また、最近では、ロール状物品が収納箱に収納される時に上記押込み部を機械で自動的に押込むことも行われているが、従来設備を利用する場合、上記押込み部の押込み工程を新たに装置内に組み込まなければならず、大幅な設備の改造が必要となる。
【０００６】
かかる問題を解決するものとして、上記押込み部以外の構成により、ロール状物品の浮き上がり防止機能が付与されたロール状物品収納箱が提案されている。かかる機能を持つロール状物品収納箱として、収納箱本体の側面に、収納箱本体の上縁に連設され内面に沿うように折り曲げられている正面補強内面折込板の端縁に折線を介して連設され収納箱本体内方へ延びる保持片がその幅方向を上下方向に向けて設けられ、保持片の下縁がラップフィルムロールに当接するようにして、ラップフィルムロールの浮き上がりを押さえ、収納箱本体からのラップフィルムロールの飛び出しを防止するようにしたラップフィルム収納箱が知られている（例えば、特許文献１参照。）。
【特許文献１】特開２００５−４７５１０号公報
【発明の開示】
【発明が解決しようとする課題】
【０００７】
しかし、前記特許文献１に記載されたロール状物品の飛び出し防止機能を持つロール状物品収納箱では、保持片は折線を介して正面補強内面折込板の端縁に連設されているため、シート状物を引き出した時に受けるロール状物品の浮き上がりによる衝撃により保持片が折線から曲がり易く、そのため保持片によるロール状物品の押さえ箇所が安定せず、ロール状物品の飛び出し防止及びシート状物の切り取りの確実性に難があるといった問題がある。
【０００８】
また、正面補強内面折込板の端縁に折線を介して連設された保持片が、その幅方向を上下方向に向けて設けられ、保持片の下縁がロール状物品に当接するようになっているので、シート状物を引き出した時に浮き上がるロール状物品から受ける衝撃が正面補強内面折込板と保持片の連設部位にかかるが、この連設部位にクッション性がないため、前記衝撃をまともに受けてしまい、前記連設部位にストレスが発生して損傷してしまう場合があり、特に前記衝撃はシート状物の使用が進みコア近くなるほど大きくなり、前記連設部位が損傷するおそれが大きくなるといった問題がある。
【０００９】
本発明の目的は、収納されるロール状物品を安定よく押さえ、収納箱本体からのロール状物品の飛び出しを防止でき、且つ、シート状物を引き出した時に浮き上がるロール状物品から受ける衝撃により損傷され難い、ロール状物品飛び出し防止機能を有する、ロール状物品収納箱を提供することにある。
【課題を解決するための手段】
【００１０】
上記目的を解決するために、請求項１に係る発明は、正面板と底面板と背面板と両側面板とで収納箱本体が形成され、前記背面板の上縁には蓋板が連設されている、シート状物が円筒状のコアに巻かれてロール状とされた物品を収納するためのロール状物品収納箱において、前記正面板の上縁に第１折線を介して連設され正面板の内面に接着される正面補強内面折込板と、正面板の両側縁に第２折線を介して連設された側面板との間に、収納箱本体内に延びるロール保持板が連設されており、側面板とロール保持板の間には、前記第１折線の延長線上に第３折線が設けられていることを特徴とする。
【００１１】
請求項２に係る発明は、請求項１に記載の、前記正面補強内面折込板とロール保持板の連設部に、前記第１折線と第３折線の接点から延びる少なくとも１本の第４折線からなるストレス吸収部が設けられていることを特徴とする。
【００１２】
請求項３に係る発明は、請求項１または２に記載の、前記正面補強内面折込板とロール保持板の連設部に、穴または切り込みからなるストレス吸収部が設けられていることを特徴とする。
【００１３】
請求項４に係る発明は、請求項１に記載の、前記正面補強内面折込板とロール保持板の連設部に、前記第２折線と第３折線の接点又はその近傍から、第３折線に対し２０度〜５０度の範囲で傾斜して延びる第５折線と、前記第１折線と第２折線の接点又はその近傍から、第１折線に対し４０度〜８０度の範囲で傾斜して延びる第６折線とからなり、組立時における前記ロール保持板と、該ロール保持板と前記第３折線を介して連設された前記側面板とでなす角度が概ね９０度となるようにしたストレス吸収部が設けられていることを特徴とする。
【００１４】
請求項５に係る発明は、請求項４に記載の、前記第５折線上には、前記第２折線と第３折線の接点又はその近傍から、切り込みが設けられていることを特徴とする。
【００１５】
請求項６に係る発明は、請求項４または５に記載の、前記第１折線と第６折線上には、第１折線と第６折線上に跨って、前記第１折線と第２折線の接点又はその近傍から、それぞれに切り込みが設けられていることを特徴とする。
【発明の効果】
【００１６】
請求項１に係るロール状物品収納箱によれば、収納箱本体の正面板の上縁に第１折線を介して連設され正面板の内面に接着される正面補強内面折込板と、正面板の両側縁に第２折線を介して連設された側面板との間に、収納箱本体内に延びるロール保持板が連設されているので、収納箱本体内に延びるロール保持板が収納箱本体に収納しているロール状物品の両端部外周に当接し、収納箱本体からのロール状物品の飛び出しが防止でき、更に、前記収納箱本体内方に延びるロール保持板は、前記正面補強内面折込板と側面板とに連設され、前記正面補強内面折込板と側面板とにより、収納箱本体内方に所定の角度を保った状態で強固に保持されることになるので、外部からの衝撃を受けても容易に角度が変化せず、ロール保持板によるロール状物品の押さえ箇所が安定し、ロール状物品の飛び出し防止及びシート状物の切り取りを確実に行うことができるとともに、シート状物を引き出した時に浮き上がるロール状物品から受ける衝撃による損傷を効果的に防止することができ、飛び出し防止効果の持続が可能となる。
【００１７】
請求項２に係るロール状物品収納箱によれば、請求項１に記載の、前記正面補強内面折込板とロール保持板の連設部に、前記第１折線と第３折線の接点から延びる少なくとも１本の第４折線からなるストレス吸収部が設けられているので、前記正面補強内面折込板の折り込みと側面板の折り込みによって連設部に生じるストレスが第４折線からなるストレス吸収部に吸収され、連設部の皺や変形を防止することができ、また、ストレス吸収部により連設部の撓みが容易となってクッション機能が向上することになるので、シート状物を引き出した時に浮き上がるロール状物品からの衝撃によりロール保持板に加わる力を効果的に吸収分散させることができ、これによりロール保持板の連設部の損傷を一層効果的に防止することができる。
【００１８】
請求項３に係るロール状物品収納箱によれば、請求項１または２に記載の、前記正面補強内面折込板とロール保持板の連設部に、穴または切り込みからなるストレス吸収部が設けられているので、前記正面補強内面折込板の折り込みと側面板の折り込みによって連設部に生じるストレスが穴または切り込みからなるストレス吸収部に吸収され、連設部の皺や変形を防止することができ、また、穴または切り込みからなるストレス吸収部により連設部の撓みが容易となってクッション機能が向上することになるので、シート状物を引き出した時に浮き上がるロール状物品からの衝撃によりロール保持板に加わる力を効果的に吸収分散させることができ、これによりロール保持板の連設部の損傷を一層効果的に防止することができる。
【００１９】
請求項４に係るロール状物品収納箱によれば、請求項１に記載の、前記正面補強内面折込板とロール保持板の連設部に、前記第２折線と第３折線の接点又はその近傍から延びる第５折線と、前記第１折線と第２折線の接点又はその近傍から延びる第６折線とからなるストレス吸収部が設けられているので、前記正面補強内面折込板の折り込みと側面板の折り込みによって連設部に生じるストレスが第５折線と第６折線とからなるストレス吸収部に吸収され、しかも、第５折線は第２折線と第３折線の接点又はその近傍から、第３折線に対し２０度〜５０度の範囲で傾斜して延び、そして、第６折線は第１折線と第２折線の接点又はその近傍から、第１折線に対し４０度〜８０度の範囲で傾斜して延びているので、連設部に生じるストレスが第５折線及び第６折線を挟んで両側に適度に分散され、ストレスの吸収が容易となり、連設部の皺や変形を効果的に防止することができる。また、これらの折線からなるストレス吸収部により連設部の撓みが容易となってクッション機能が向上することになるので、シート状物を引き出した時に浮き上がるロール状物品からの衝撃によりロール保持板に加わる力を効果的に吸収分散させることができ、これによりロール保持板の連設部の損傷を一層効果的に防止することができる。
【００２０】
また、第５折線と第６折線とからなるストレス吸収部は、組立時にロール保持板と、該ロール保持板と前記第３折線を介して連設された前記側面板とでなす角度が概ね９０度となるように設定しているので、前記収納箱本体内方に延びるロール保持板は、ロール状物品収納箱に収納したロール状物品と概ね平行な状態で保持されることになるので、ロール保持板によるロール状物品の押さえが安定し、シート状物の引き出しを容易に行うことができる。
【００２１】
請求項５に係るロール状物品収納箱によれば、請求項４に記載の、前記第５折線上には、前記第２折線と第３折線の接点又はその近傍から、切り込みが設けられているので、第５折線はが折れ易くなると共に、連設部に生じるストレスの吸収が一層容易となり、連設部の皺や変形を一層効果的に防止することができる。
【００２２】
請求項６に係るロール状物品収納箱によれば、請求項４または５に記載の、前記第１折線と第６折線上には、第１折線と第６折線上に跨って、前記第１折線と第２折線の接点又はその近傍から、それぞれに切り込みが設けられているので、切り込みにより第６折線が折れ易くなると共に、連設部に生じるストレスの吸収が一層容易となり、連設部の皺や変形を一層効果的に防止することができる。
【発明を実施するための最良の形態】
【００２３】
以下、本発明に係るロール状物品収納箱を実施するための最良の形態を、ロール状物品としてラップフィルムが円筒状のコアに巻かれたラップフィルムロールが収納された、ラップフィルム収納箱の例について説明する。
【００２４】
図１乃至図４は本発明に係る上記ラップフィルム収納箱の第１実施例を示すものであり、図１は本例のラップフィルム収納箱を示す一部省略斜視図、図２は図１に示すラップフィルム収納箱の要部拡大斜視図、図３は図１に示すラップフィルムロールを取り出したラップフィルム収納箱の要部拡大斜視図、図４は図１に示すラップフィルム収納箱の展開図である。
【００２５】
本例のラップフィルム収納箱１は、正面板２と底面板３と背面板４と両側面板５、６，７，８とで、ラップフィルム９が円筒状のコア１０に巻かれたラップフィルムロール１１を収納する収納箱本体１２が形成され、前記背面板４の上縁には蓋板１３が連設されている。
【００２６】
前記ラップフィルム収納箱１の材料としては、一般的に坪量２７０〜６００ｇ／ｍ２のコートボール紙が用いられるが、フルートの細かな段ボールや樹脂シートであっても何ら支障はない。
【００２７】
前記ラップフィルム収納箱１は、図４の展開図に示すように、正面板２、底面板３、背面板４、蓋板１３が、折線１４，１５，１６を介して図中上下方向に連設されている。前記正面板２の上縁には第１折線１７を介して連設され正面板２の内面に接着される正面補強内面折込板１８が連設され、正面板２の両側縁には第２折線１９を介して前記側面板５がそれぞれ連設されている。また、前記底面板３、背面板４、蓋板１３にも、両側縁にそれぞれ折線２０，２１，２２を介して前記側面板６，７，８が連設されている。
【００２８】
前記正面板２の上縁に連設された正面補強内面折込板１８と正面板２の両側縁に連設された側面板５との間には、ロール保持板２３が連設されており、側面板５とロール保持板２３の間には、前記第１折線の延長線上に第３折線２４が設けられている。
【００２９】
更に、本例では、前記正面補強内面折込板１８とロール保持板２３の連設部２５に、前記第１折線１７と第３折線２４の接点ａから延びる第４折線２６からなるストレス吸収部２７が設けられている。前記第４折線２６は、第３折線２４との為す角度が４０度から５０度の範囲に設けられることが好ましく、特に、４５度の角度で設けられることが好ましい。第４折線２６の前記角度を４５度とすると、後述するように収納箱本体１２を形成したとき、収納箱本体１２内方に延びるロール保持板２３が、側面板５との間で為す角度が概ね９０度となる。
【００３０】
また、本例では、ストレス吸収部２７として、前記正面補強内面折込板１８とロール保持板２３の連設部２５に、前記第１折線１７と第３折線２４の接点ａから延びるもう一本の第４折線２８も設けられている。前記第４折線２８も、第１折線１７との為す角度が４０度から５０度の範囲に設けられることが好ましく、特に、４５度の角度で設けられることが好ましい。第４折線２８の前記角度を４５度としても、後述するように収納箱本体１２を形成したとき、収納箱本体１２内方に延びるロール保持板２３が、側面板５との間で為す角度が概ね９０度となる。また、前記第４折線２８にあっては、本例では、途中から前記第２折線１９と同方向に向かう変更部２８ａを有している。
【００３１】
更に、本例では、ストレス吸収部２７として、前記正面補強内面折込板１８とロール保持板２３の連設部２５に、穴２９が設けられている。前記穴２９は、第４折線２８に接して前記正面補強内面折込板１８側に寄った位置に設けられている。前記穴２９の形状、個数、設ける位置は特に限定されない。
【００３２】
上記のような展開構成を有する本例のラップフィルム収納箱１が組み立てられるとき、正面補強内面折込板１８は正面板２に貼り合わされるが、ロール保持板２３は側面板５と正面補強内面折込板１８に連設されているので、正面板２に対して側面板５が９０度折り込まれる時、ロール保持板２３は第３折線２４に沿って収納箱本体１２内側に折り曲げられ、側面板５と所定の角度を保持して収納箱本体１２内に延びる。
【００３３】
このとき、前記正面補強内面折込板１８とロール保持板２３の連設部２５にストレス吸収部２７が設けられているので、前記正面補強内面折込板１８の折り込みと側面板５の折り込みによって連設部２５に生じるストレスが、ストレス吸収部２７に吸収され、連設部２５の皺や変形が防止される。
【００３４】
また、前記収納箱本体１２内方に延びるロール保持板２３が、側面板５との間で為す角度にあっては、本例では、ストレス吸収部２７となる、前記第４折線２６と第３折線２４との為す角度、及び、もう一本の第４折線２８と第１折線１７との為す角度が、両者とも４０度から５０度の範囲に設けられているので、概ね９０度前後となる。また、前記第４折線２８にあっては、本例では、途中から前記第２折線１９と同方向に向かう変更部２８ａを有しているので、前記正面補強内面折込板１８の折り込みと側面板５の折り込みによって連設部２８に生じるストレスを一層効果的に吸収できる。
【００３５】
上記のように構成されたラップフィルム収納箱１の収納箱本体１２内に収納されたラップフィルムロール１１は、その両端部外周が前記収納箱本体１２内に延びるロール保持板２３により保持され、収納箱本体１２からの飛び出しが防止される。
【００３６】
そして、前記収納箱本体１２内方に延びるロール保持板２３は、前記正面補強内面折込板１８と側面板５とに連設され、前記正面補強内面折込板１８と側面板５とにより、収納箱本体１２内方に所定の角度を保った状態で強固に保持されることになるので、外部からの衝撃を受けても容易に角度が変化せず、ロール保持板２３によるラップフィルムロール１１の押さえ箇所が安定し、ラップフィルムロール１１の飛び出し防止及びラップフィルム９の切り取りを確実に行うことができるとともに、ラップフィルム９を引き出したときに浮き上がるラップフィルムロール１１から受ける衝撃による損傷が効果的に防止され、飛び出し防止効果の持続が可能となる。
【００３７】
また、正面補強内面折込板１８とロール保持板２３の連設部２５に、ストレス吸収部２７が設けられているので、このストレス吸収部２７により、前記正面補強内面折込板１８の折り込みと側面板５の折り込みによって連設部２５に生じるストレスが吸収され、更に、連設部２５の撓みが容易となってクッション機能が向上することになり、ラップフィルム９を引き出した時に浮き上がるラップフィルムロール１１からの衝撃によりロール保持板２３に加わる力を吸収分散させることができ、これによりロール保持板２３の連設部２５の損傷を一層効果的に防止することができ、飛び出し防止効果の持続も更に期待できるものとなる。
【００３８】
図５乃至図８は本発明に係る上記ラップフィルム収納箱の第２実施例を示すものであり、図５はラップフィルムロールを取り出した本例のラップフィルム収納箱の要部拡大斜視図、図６は図５に示すラップフィルム収納箱の縦断面図、図７は図５に示すラップフィルム収納箱の展開図、図８は図７の一部拡大図である。
【００３９】
本例にあって、第１例と同じ構成にあっては同一の符合を付して説明する。本例のラップフィルム収納箱１は、第１例と同様に、正面板２と底面板３と背面板４と両側面板５、６，７，８とで、ラップフィルム９が円筒状のコア１０に巻かれたラップフィルムロール１１を収納する収納箱本体１２が形成され、前記背面板４の上縁には蓋板１３が連設されている。前記ラップフィルム収納箱１の材料としては、一般的に坪量２７０〜６００ｇ／ｍ２のコートボール紙が用いられるが、フルートの細かな段ボールや樹脂シートであっても何ら支障はない。
【００４０】
前記ラップフィルム収納箱１は、図７の展開図に示すように、第１例と同様、正面板２、底面板３、背面板４、蓋板１３が、折線１４，１５，１６を介して図中上下方向に連設されている。前記正面板２の上縁には第１折線１７を介して連設され正面板２の内面に接着される正面補強内面折込板１８が連設され、正面板２の両側縁には第２折線１９を介して前記側面板５がそれぞれ連設されている。また、前記底面板３、背面板４、蓋板１３にも、両側縁にそれぞれ折線２０，２１，２２を介して前記側面板６，７，８が連設されている。
【００４１】
前記正面板２の上縁に連設された正面補強内面折込板１８と正面板２の両側縁に連設された側面板５との間には、ロール保持板２３が連設されており、側面板５とロール保持板２３の間には、前記第１折線の延長線上に第３折線２４が設けられている。
【００４２】
更に、本例では、前記正面補強内面折込板１８とロール保持板２３の連設部２５に、前記第２折線１９と第３折線２４の接点又はその近傍から延びる第５折線３０と、前記第１折線１７と第２折線１９の接点又はその近傍から延びる第６折線３１とからなるストレス吸収部２７が設けられている。
【００４３】
前記第２折線１９と第３折線２４の接点又はその近傍から延びる第５折線３０は、第５折線３０と第３折線２４のなす角度θ１が２０度〜５０度の範囲で傾斜して延び、また、前記第１折線１７と第２折線１９の接点又はその近傍から延びる第６折線３１は、第６折線３１と第１折線１７のなす角度θ２が４０度〜８０度の範囲で傾斜して延びている。
【００４４】
そして、前記角度θ１，θ２は前記範囲内で、ラップフィルム収納箱１を組み立てたとき、ロール保持板２３と、該ロール保持板２３と第３折線２４を介して連設された側面板５とでなす角度が概ね９０度となるように設定されている。
【００４５】
また、前記ストレス吸収部２７となる第５折線３０上に、第２折線１９と第３折線２４の接点又はその近傍から、切り込み３２が設けられている。また、第１折線１７とストレス吸収部２７となる第６折線３１上には、第１折線１７と第６折線３１上に跨って、前記第１折線１７と第２折線１９の接点又はその近傍から、それぞれに切り込み３３が設けられている。この切り込み３２の長さＬ１及び、切り込み３３における第１折線１７上の切り込み３３ａの長さＬ２と第６折線３１上の切り込み３３ｂの長さＬ３にあっては、強度との兼ね合いで適宜設定するものとする。
【００４６】
なお、本例では、第５折線３０上に切り込み３２が、そして第１折線１７と第６折線３１上には、第１折線１７と第６折線３１上に跨って切り込み３３が設けられているが、何れか一方だけでもよい。
【００４７】
上記のような展開構成を有する本例のラップフィルム収納箱１が組み立てられるとき、正面補強内面折込板１８は正面板２に貼り合わされるが、ロール保持板２３は側面板５と正面補強内面折込板１８に連設されているので、正面板２に対して側面板５が９０度折り込まれる時、ロール保持板２３は第３折線２４に沿って収納箱本体１２内側に折り曲げられ、側面板５と概ね９０度の角度を保持して収納箱本体１２内に延びる。
【００４８】
このとき、前記正面補強内面折込板１８とロール保持板２３の連設部２５にストレス吸収部２７が設けられているので、前記正面補強内面折込板１８の折り込みと側面板５の折り込みによって連設部２５に生じるストレスが、第５折線３０と第６折線３１とからなるストレス吸収部２７に吸収され、しかも、第５折線３０は第２折線１９と第３折線２４の接点又はその近傍から、第３折線２４に対し２０度〜５０度の範囲で傾斜して延び、そして、第６折線３１は第１折線１７と第２折線１９の接点又はその近傍から、第１折線１７に対し４０度〜８０度の範囲で傾斜して延びているので、連設部２５に生じるストレスが第５折線３０及び第６折線３１を挟んで両側に適度に分散され、ストレスの吸収が容易となり、連設部２５の皺や変形を効果的に防止することができる。また、これらの折線からなるストレス吸収部２７により連設部２５の撓みが容易となってクッション機能が向上することになるので、ラップフィルム９を引き出した時に浮き上がるラップフィルムロール１１からの衝撃によりロール保持板２３に加わる力を効果的に吸収分散させることができ、これによりロール保持板２３の連接部の損傷を一層効果的に防止することができる。
【００４９】
また、第５折線３０と第６折線３１とからなるストレス吸収部２７は、組立時にロール保持板２３と側面板５とでなす角度が概ね９０度となるように設定しているので、前記収納箱本体１２内方に延びるロール保持板２３は、ラップフィルム収納箱に収納したラップフィルムロール１１と概ね平行な状態で保持されることになるので、ロール保持板２３によるラップフィルムロール１１の押さえが安定し、ラップフィルム９の引き出しを容易に行うことができる。
【００５０】
また、本例では、ストレス吸収部２７となる第５折線３０上に、第２折線１９と第３折線２４の接点又はその近傍から、切り込み３２が設けられ、また、第１折線１７とストレス吸収部２７となる第６折線３１上には、第１折線１７と第６折線３１上に跨って、前記第１折線１７と第２折線１９の接点又はその近傍から、それぞれに切り込み３３が設けられているので、第５折線３０と第６折線３１が折れ易くなると共に、連設部に生じるストレスの吸収が一層容易となり、連設部の皺や変形を一層効果的に防止することができる。
【図面の簡単な説明】
【００５１】
【図１】本発明に係るロール状物品収納箱の一例である、ラップフィルム収納箱の第１実施例を示す一部省略斜視図。
【図２】図１に示すラップフィルム収納箱の要部拡大斜視図。
【図３】図１に示すラップフィルムロールを取り出したラップフィルム収納箱の要部拡大斜視図。
【図４】図１に示すラップフィルム収納箱の展開図。
【図５】本発明に係るロール状物品収納箱の一例である、ラップフィルム収納箱の第２実施例を示し、ラップフィルムロールを取り出したラップフィルム収納箱の要部拡大斜視図。
【図６】図５に示すラップフィルム収納箱の縦断面図。
【図７】図５に示すラップフィルム収納箱の展開図。
【図８】図７の一部拡大図。
【符号の説明】
【００５２】
１  ラップフィルム収納箱
２  正面板
３  底面板
４  背面板
５、６、７、８  側面板
９  ラップフィルム
１０  コア
１１  ラップフィルムロール
１２  収納箱本体
１３  蓋板
１４、１５、１６  折線  
１７  第１折線
１８  正面補強内面折込板
１９  第２折線
２０、２１、２２  折線
２３  ロール保持板
２４  第３折線
２５  連設部
２６  第４折線
２７  ストレス吸収部
２８  第４折線
２８ａ  変更部
２９  穴
３０  第５折線
３１  第６折線
３２、３３  切り込み
【図１】
0004812030.tif 000002
【図２】
0004812030.tif 000003
【図３】
0004812030.tif 000004
【図４】
0004812030.tif 000005
【図５】
0004812030.tif 000006
【図６】
0004812030.tif 000007
【図７】
0004812030.tif 000008
【図８】
0004812030.tif 000009